(57)【要約】【課題】大容量の壜体であっても、十分に掴持性を発揮できるために指先が確実に引っ掛かる凹部を形成し、もって掴持性に優れ、安心して使用できる合成樹脂製丸型壜体を提供することである。【解決手段】延伸ブロー成形され、円筒状の胴部４の上端にテーパー筒状の肩部３を介して口筒部２を起立設した合成樹脂製丸型壜体であって、該胴部４の所定の高さ位置に胴径を縮径したウエスト部６を形成し、該ウエスト部６には、周期的に周方向に連結して波状の凸部１０を形成することにより、指掛けのための凹部１２が形成されていることを特徴とする合成樹脂製丸型壜体。【選択図】図１
2015160656.tif 000002
【特許請求の範囲】
【請求項１】
延伸ブロー成形され、円筒状の胴部（４）の上端にテーパー筒状の肩部（３）を介して口筒部（２）を起立設した合成樹脂製丸型壜体であって、
該胴部（４）の所定の高さ位置に胴径を縮径したウエスト部（６）を形成し、
該ウエスト部（６）には、周期的に周方向に連結して波状の凸部（１０）を形成することにより、指掛けのための凹部（１２）が形成されている
ことを特徴とする合成樹脂製丸型壜体。
【請求項２】
前記ウエスト部（６）における、上方拡径側周壁部（９ａ）と下方拡径側周壁部（９ｂ）の幅であるウエスト側周壁幅（Ｗ１）が、１３．５ｍｍ以上である請求項１に記載の合成樹脂製丸型壜体。
【請求項３】
前記上方拡径側周壁部（９ａ）の壜体径方向に対する傾斜面の角度である上辺傾斜角度（α）が、前記下方拡径側周壁部（９ｂ）の壜体径方向に対する傾斜面の角度である下辺傾斜角度（β）以下である請求項１又は２に記載の合成樹脂製丸型壜体。
【請求項４】
前記上辺傾斜角度（α）が０°以上４０°以下であり、かつ前記下辺傾斜角度（β）が４０°以上８５°以下である請求項３に記載の合成樹脂製丸型壜体。
【請求項５】
前記凹部（１２）から前記凸部（１０）の傾斜周壁（１０ｂ）の傾斜面への角度である凸部傾斜角度（γ）が１５°以上５５°以下である請求項１〜４のいずれかに記載の合成樹脂製丸型壜体。
【発明の詳細な説明】
【技術分野】
【０００１】
本発明は、胴部に指掛けのための凹部を形成した合成樹脂製丸型壜体に関するものである。
【背景技術】
【０００２】
従来から、ポリエチレンテレフタレート（以下、ＰＥＴと称す。）樹脂製等の合成樹脂製丸型壜体は、各種飲料用や食品用等の容器として幅広く利用されている。一方、特に容量が１リットル以上の大型になると、用途に応じて、手で確実に掴持するため把手を付設したり、胴部に手で持ち易いようにくびれ部を設けたりすることがあるが、把手を付設するためには製造コストが高くなり、くびれ部だけでは指掛がないので滑り易いという課題があった。
【０００３】
そのため特許文献１では、指掛けとなるくびれ部に凹部を対称位置に形成することにより、壜体を掴持可能としている。しかしながら、特許文献１では、凹部が対称位置に限定されるため手の大きさによって、特に手の小さい人には凹部が掴み難い場合があり、必ずしも十分な掴持性が確保できなかったり、内容物が十分充填されて重い状態にて壜体が下方に滑り落ちることがあり安心して使用できないこともあった。そのようなことから、大容量の壜体において、より掴持し易いものが求められていた。
【先行技術文献】
【特許文献】
【０００４】
【特許文献１】特開２００４−１８４７号公報
【発明の概要】
【発明が解決しようとする課題】
【０００５】
本発明は、このような事情に鑑みてなされたものであり、その目的は、大容量の壜体であっても、十分に掴持性を発揮できるために指先が確実に引っ掛かる凹部を形成し、もって掴持性に優れ、安心して使用できる合成樹脂製丸型壜体を提供することである。
【課題を解決するための手段】
【０００６】
上記課題の解決手段として、本発明に係る合成樹脂製丸型壜体は、
延伸ブロー成形され、円筒状の胴部の上端にテーパー筒状の肩部を介して口筒部を起立設した合成樹脂製丸型壜体であって、
該胴部の所定の高さ位置に胴径を縮径したウエスト部を形成し、
該ウエスト部には、周期的に周方向に連結して波状の凸部を形成することにより、指掛けのための凹部が形成されている
ことを特徴とするものである。
【０００７】
この構成によって、例えば、壜体手前側のウエスト部の凹部に第１指の指先を掛け、奥側のウエスト部の凹部に第２指又は第３指を掛けると共に、他の指である第３指、第４指及び第５指、あるいは第２指、第４指及び第５指を胴部に当接させ第１指の指先から他の指の指先に至る手全体で壜体胴部をしっかり掴持することができる。これによって、大容量の壜体にて内容物が満充填され重い状態であっても、より安定して掴持することができ、壜体を片手で持ち上げて運搬したり、持ち上げた状態で壜体を傾けて口筒部からより容易に内容液を注出することができる。また、波状の凸部を周期的に複数設けることによって、壜体を支える支柱として機能を発揮して、壜体の剛性そして座屈強度を高いレベルで保持することができる。更に、この凸部を構成することによって、指の根元をこの凸部に接するようにして、より確実に壜体の胴部を片手で掴持することができる。また更に、ウエスト部を壜体全周に設けた場合においては、壜体全周のほぼどの位置においても掴持が容易に行うことができる。
【０００８】
また、本発明に係る別の合成樹脂製丸型壜体において、ウエスト部における、上方拡径側周壁部と下方拡径側周壁部の幅であるウエスト側周壁幅が１３．５ｍｍ以上のものである。
【０００９】
上記構造では、ウエスト側周壁幅Ｗ１が１３．５ｍｍ以上であることによって、壜体を掴持した時に指先をウエスト部に十分挿入することができるため、より確実に壜体の胴部を片手で掴持することができる。
【００１０】
更に、本発明に係る別の合成樹脂製丸型壜体において、上方拡径側周壁部の壜体径方向に対する傾斜面の角度である上辺傾斜角度が、下方拡径側周壁部の壜体径方向に対する傾斜面の角度である下辺傾斜角度以下である。
【００１１】
上記構造では、壜体を掴持した時に指の側部がウエスト部の上辺に当たることによって、壜体下方への滑り止め機能が発揮され、例えば、内容液を注出する際に壜体を持ち上げた際にも片手で安定して掴持することができる。
【００１２】
また更に、本発明に係る別の合成樹脂製丸型壜体において、上辺傾斜角度が０°以上４０°以下であり、かつ下辺傾斜角度が４０°以上８５°以下のものである。
【００１３】
上記構造では、指をウエスト部に下方からよりしっかりと当接させるように係止させて、ウエスト部及び胴部をより容易に掴持することができ、片手での掴持性をより安定したものとすることができる。
【００１４】
また、本発明に係る別の合成樹脂製丸型壜体において、凹部から凸部の傾斜周壁の傾斜面への角度である凸部傾斜角度が１５°以上５５°以下のものである。
【００１５】
上記構造では凸部傾斜角度が１５°以上５５°以下の範囲であるため、掴持する際に指先が凹部に誘導されることによって確実に掴持性を発揮でき、安心して使用することができる大容量の壜体を提供することができる。
【発明の効果】
【００１６】
本発明の主たる構成においては、ウエスト部の凹部に第１指の指先を掛け、奥側のウエスト部の凹部に第２指又は第３指を掛けると共に、第３指、第４指及び第５指を、あるいは第２指、第４指及び第５指を胴部に当接させ第１指の指先から他の指の指先に至る手全体で壜体胴部を確実に掴持することができる。また、凸部が壜体を支える支柱として機能を発揮して、壜体の剛性そして座屈強度を高いレベルで保持することができる。更に、この凸部を構成することによって、指の根元をこの凸部に接するようにして、より確実に壜体の胴部を片手で掴持することが可能となり、持ち上げた状態で壜体を傾けて口筒部からより容易に内容液を注出することができる。
【００１７】
ウエスト部における、上方拡径側周壁部と下方拡径側周壁部の幅であるウエスト側周壁幅が１３．５ｍｍ以上であるものにあっては、壜体を掴持した時に指先をウエスト部に十分挿入することが可能となるため、より確実に壜体の胴部を片手で掴持することを達成できる。
【００１８】
上方拡径側周壁部の壜体径方向に対する傾斜面の角度である上辺傾斜角度が、下方拡径側周壁部の壜体径方向に対する傾斜面の角度である下辺傾斜角度以下のものにあっては、指の側部がウエスト部の上辺に当接することによって、壜体下方への滑り止め機能が発揮され、片手にてより安定した掴持ができる。
【００１９】
上辺傾斜角度が０°以上４０°以下であり、かつ下辺傾斜角度が４０°以上８５°以下であるものにあっては、指をウエスト部に下方からよりしっかりと当接させるように係止させて、ウエスト部及び胴部をより容易に掴持することができ、片手での掴持性を安定して発揮することが達成できる。
【００２０】
凸部傾斜角度が１５°以上５５°以下の範囲であるものにあっては、掴持する際に指先を確実に凹部に誘導する配置機能を有するため、優れた掴持性を発揮することが可能となる。
【図面の簡単な説明】
【００２１】
【図１】本発明に係る合成樹脂製丸型壜体の第１実施例を示す全体正面図である。
【図２】ウエスト部におけるウエスト側底壁近傍を拡大して部分的に示す縦断面図である。
【図３】ウエスト部における凸部近傍を拡大して部分的に示す縦断面図である。
【図４】図１中のＡ−Ａ線に沿って示した壜体の半横断面図である。
【発明を実施するための形態】
【００２２】
以下、本発明にかかる実施の形態について図面を参照しつつ説明する。
【００２３】
図１は本発明の合成樹脂製丸型壜体の第１実施例を示す全体正面図であり、図２はウエスト部におけるウエスト側底壁近傍を拡大して部分的に示す縦断面図であり、図３はウエスト部における凸部近傍を拡大して部分的に示す縦断面図であり、図４は図１中のＡ−Ａ線に沿って示した壜体の半横断面図を示すものである。
【００２４】
この合成樹脂製丸型の壜体１は、ＰＥＴ樹脂製の２軸延伸ブロー成形品であり、円筒状の胴部４の上端にテーパー筒状の肩部３を介して口筒部２を起立設した丸型壜体である。本発明に係る壜体１は、口筒部２、肩部３、胴部４及び底部５がそれぞれの中心軸線を共通軸上に位置した状態で、この順に連設されている。以下、前記共通軸を中心軸Ｏと云い、中心軸Ｏ方向に沿って口筒部２側を上側、底部５側を下側とする。また、中心軸Ｏに直交する方向を壜体径方向とし、中心軸Ｏを中心に周回する方向を壜体周方向とする。
【００２５】
そして、胴部４の所定の高さ位置、例えば、略中央高さ位置に胴径を縮径して壜体１を掴むための周溝状にウエスト部６が形成されており、胴部４はこのウエスト部６により上方胴部と下方胴部に分けられる。上方胴部と下方胴部には、減圧吸収機能を司る減圧吸収パネル１３がそれぞれ形成され、下部胴部には剛性を向上させるための周溝状の補強リブ１４が形成されている。
【００２６】
ウエスト部６は、周期的に周方向に連結して波状の凸部１０が形成されており、この凸部１０と凸部１０の間には指掛けのための凹部１２を有する。波状の凸部１０を周期的に複数設けることにより、壜体１を支える支柱として機能を発揮して、壜体１の剛性そして座屈強度を高いレベルで保持することができる。ウエスト部６が壜体１の全周に亘って設けられた場合においては、壜体１の全周のどの位置においても掴持が容易に行うことが可能となる。
【００２７】
ウエスト部６は、胴部４の上部胴部に連設されるウエスト部６の上辺６ａ及び下部胴部に連設されるウエスト部６の下辺６ｂを有している。上辺６ａは、上方に向かって徐々に拡径しながら延在する環状の平坦面である上方拡径側周壁部９ａを有し、下辺６ｂは、下方に向かって徐々に拡径しながら延在する環状の平坦面である下方拡径側周壁部９ｂを有している。
【００２８】
図２に示されるように、ウエスト部６における指掛けのための凹部１２となる箇所には、平坦面状のウエスト側底壁７があり、このウエスト側底壁７には平坦面の上方拡径側周壁部９ａ及び下方拡径側周壁部９ｂに曲面の周縁８が連設しており、上方拡径側周壁部９ａに上方拡径側周縁８ａが、下方拡径側周壁部９ｂに下方拡径側周縁８ｂがそれぞれ連設している。図３に示されるウエスト部における凸部１０近傍において、平坦面の上方拡径側周壁部９ａ及び下方拡径側周壁部９ｂの周壁部９は、凸部頂部１０ａの周縁にそれぞれ連設している。
【００２９】
一般社団法人  人間生活工学研究センター発行の「日本人の手の寸法データ集２０１０（２０１１．０５版）」によると、第三指（右手中指）爪基部幅にて世代別において最小値を示したのは女性２０〜３０代であり、その数値は１３．８８ｍｍであった。壜体１を掴持する時に指先が上方拡径側周壁部９ａ又は下方拡径側周壁部９ｂの誘導によって凹部１２に挿入される時には、指先の腹がウエスト側底壁７に当接し、指先の側部が変形することを考慮して、ウエスト部６における上方拡径側周壁部９ａと下方拡径側周壁部９ｂの幅であるウエスト側周壁幅Ｗ１は、１３．５ｍｍ以上であること好ましい。ウエスト側周壁幅Ｗ１を１３．５ｍｍ以上にすることによって、壜体１を掴持した時に指先を凹部１２のウエスト側底壁７及び周縁８に当接することができるため、より確実に壜体の胴部を片手で掴持することができる。なお、上方拡径側周壁部９ａと下方拡径側周壁部９ｂの幅であるウエスト側周壁幅Ｗ１は、上方拡径側周縁８ａの曲面と平坦面の上方拡径側周壁部９ａが接する点及び下方拡径側周縁８ｂの曲面と平坦面の下方拡径側周壁部９ｂが接する点の距離幅がこれに相当する。
【００３０】
また、平坦面状のウエスト側底壁７の幅であるウエスト側底壁幅Ｗ２、つまり上方拡径側周縁８ａの曲面開始点と下方拡径側周縁８ｂの曲面開始点の距離幅は、１０ｍｍ以上であることが好ましい。これによって、凹部１２に挿入した指先の腹部分が上方拡径側周縁８ａ及び下方拡径側周縁８ｂの周縁８に沿って変形するため指先の腹部分の凹部１２への当接や指掛の観点から好ましく、より確実に掴持性を発揮することができる。
【００３１】
上方拡径側周壁部９ａの壜体径方向に対する傾斜面の角度である上辺傾斜角度αは、下方拡径側周壁部９ｂの壜体径方向に対する傾斜面の角度である下辺傾斜角度β以下であることが好ましい。この構造によって、壜体１を掴持した時に指の側部がウエスト部６の上辺６ａに当接し、壜体下方への滑り止め機能が発揮され、例えば、内容液が十分充填され重たい状態の壜体１を持ち上げた際に片手でも安定して掴持することができる。
【００３２】
上辺傾斜角度αが０°以上４０°以下であり、かつ下辺傾斜角度βが４０°以上８５°以下であることが好ましい。下辺傾斜角度βが４０°以上８５°以下と上辺傾斜角度αよりなだらか又は同等であることによって、指の側部をウエスト部６に下方からよりしっかりと当接させるように係止することができ、ウエスト部６及び胴部４をより容易に掴持することができ、片手での掴持性をより安定したものとすることができる。
【００３３】
ウエスト部６は、図４の半横断面図に示されるように、周期的に周方向に連結して波状に凸部１０が形成されている。そして、ウエスト部６には、凸部頂部１０ａから壜体径方向の内側に凹部深さｄだけ凹んだ指掛けのための凹部１２が形成されている。凹部深さｄは、指掛けが容易になるよう６〜１１ｍｍの範囲が好ましい。凸部１０と凹部１２の間には、指先の壜体周方向へのズレ防止及び壜体１の剛性そして座屈強度を高める補助凸部１１を有する。
【００３４】
凹部１２から、凸部１０の傾斜周壁１０ｂの傾斜面への角度である凸部傾斜角度γは、１５°以上５５°以下であることが好ましい。凸部傾斜角度γが１５°以上５５°以下の範囲であることによって、掴持する際に指先を凹部１２に誘導する配置機能が働くことにより確実に掴持性を発揮でき、安心して使用可能な大容量の壜体を提供することができる。一方、１５°未満になると、掴持時に指先が凹部１２から滑り易くなり、５５°を超えると成形が困難となってしまう。
【００３５】
前記日本人の手の寸法データ集２０１０によれば、手長は中グループにて１６４〜１７７ｍｍであり、手幅は世代別において最小値の女性２０〜３０代で７０〜７５ｍｍである。このことから、ウエスト部６での壜体径であるウエスト部壜体径Ｗｒが８０〜１００ｍｍであれば、指をウエスト部６にしっかりと当接させるように係止させて、ウエスト部６及び胴部４をより容易に掴持することが可能となり、片手での掴持性をより安定したものとすることができる。
【００３６】
なお、本発明の技術範囲は、上記実施形態に限定されるものではなく、本発明の趣旨を逸脱しない範囲において、種々の変更を加えることが可能である。
【００３７】
例えば、上記実施形態にて、壜体１が２軸延伸ブローにて成形したものを説明したが、２軸延伸ブロー成型品に限定されるものではなく、延伸ブロー成型の壜体であれば適用できる。また、実施形態では減圧吸収機能を減圧吸収パネル１３により対応させているが、底部５に陥没凹部を形成し、この陥没凹部を減圧吸収機能部としても構わない。更に、本実施形態では、凹部１２を６個としているが壜体の成形性、壜体の外観的なデザイン性などを考慮して決めることができる。
【産業上の利用可能性】
【００３８】
以上説明したように、掴持性に優れ、安心して使用できる壜体を提供するものであり、特に大容量の丸型壜体の分野で幅広い用途展開が期待される。
【符号の説明】
【００３９】
１    ：壜体
２    ：口筒部
３    ：肩部
４    ：胴部
５    ：底部
６    ：ウエスト部
６ａ  ：（ウエスト部）上辺
６ｂ  ：（ウエスト部）下辺
７    ：ウエスト側底壁
８    ：（ウエスト部）周縁
８ａ  ：上方拡径側周縁
８ｂ  ：下方拡径側周縁
９    ：（ウエスト部）周壁部
９ａ  ：上方拡径側周壁部
９ｂ  ：下方拡径側周壁部
１０  ：凸部
１０ａ：凸部頂部
１０ｂ：（凸部）傾斜周壁
１１  ：補助凸部
１２  ：凹部
１３  ：減圧吸収パネル
１４  ：補助リブ
Ｏ    ：中心軸
ｄ    ：凹部深さ
Ｗ１  ：ウエスト側周壁幅
Ｗ２  ：ウエスト側底壁幅
Ｗｒ  ：ウエスト部壜体径
α    ：上辺傾斜角度
β    ：下辺傾斜角度
γ    ：凸部傾斜角度
【図１】
2015160656.tif 000003
【図２】
2015160656.tif 000004
【図３】
2015160656.tif 000005
【図４】
2015160656.tif 000006